(57)【要約】【課題】被秤量容器の台秤への搭載作業が容易であり、かつ台秤として任意の台秤を用い得る台車を提供する。【解決手段】台車１０にて秤量される被秤量容器３０を台車載置台４に載置して搬送する。台車１０は、台秤２０の秤量台２１の高さよりも大きい外径を有し、かつ台秤２０を跨ぎ得る車輪間隔を有する台車車輪５…と、台秤２０の秤量台２１を跨いでいるときに、台秤２０の秤量台２１に支持脚を伸ばして台車載置台４及び台車車輪５…を浮かせるボルト６…とが設けられている。【選択図】図１
2009126612.tif 000002
【特許請求の範囲】
【請求項１】
台秤にて秤量される被秤量容器を台車載置台に載置して搬送する台車において、
上記台車載置台は、上記台秤を跨ぎ得る高さと幅とを有し、
上記台秤を跨いでいるときに、該台秤の秤量台に支持脚を伸ばして上記台車載置台及び台車車輪を浮かせる持ち上げ手段が設けられていることを特徴とする台車。
【請求項２】
台秤にて秤量される被秤量容器を台車載置台に載置して搬送する台車において、
上記台秤の秤量台の高さよりも大きい外径を有し、かつ該台秤を跨ぎ得る車輪間隔を有する台車車輪と、
上記台秤を跨いでいるときに、該台秤の秤量台に支持脚を伸ばして上記台車載置台及び台車車輪を浮かせる持ち上げ手段とが設けられていることを特徴とする台車。
【請求項３】
前記持ち上げ手段は、台車載置台に螺合により取り付けられた支持脚からなっていることを特徴とする請求項１又は２記載の台車。
【請求項４】
前記持ち上げ手段は、台車載置台に螺合により取り付けられた少なくとも３個のボルトからなっていることを特徴とする請求項３記載の台車。
【請求項５】
前記持ち上げ手段は、
螺合部を有する支持脚と、
上記支持脚の螺合部に螺合するピニオンギヤをモータ軸に有するモータとからなっていることを特徴とする請求項１，２又は３記載の台車。
【請求項６】
前記被秤量容器と台車載置台とは、一体に固定されていることを特徴する請求項１〜５のいずれか１項記載の台車。
【発明の詳細な説明】
【技術分野】
【０００１】
本発明は、台秤にて秤量される被秤量容器を台車載置台に載置して搬送する台車に関するものであり、詳細には、被秤量容器の台秤への搭載作業が容易であり、かつ台秤として任意の台秤を用い得る台車に関する。
【背景技術】
【０００２】
従来、工場や研究所等において、例えば重さ５０ｋｇ程度の内容物を収容した被秤量容器を秤量するために、図７に示すように、その被秤量容器１０１を台車１０２の台車載置台１０３に載置して台秤１０４の近傍位置まで搬送し、被秤量容器１０１、又は被秤量容器１０１及び台車１０２の一体物１０５を、例えば二人で持ち上げて台秤１０４に乗せ替えて被秤量容器１０１の内容物を秤量していた。
【０００３】
しかしながら、被秤量容器１０１、又は被秤量容器１０１及び台車１０２の一体物１０５を台秤１０４に乗せ替える作業は、二人を必要とするので、一人しかいない場合には、他の作業員を呼ばなければならず、時間・作業の効率が悪かった。
【０００４】
また、二人で作業を行ったとしても、重たい被秤量容器１０１、又は被秤量容器１０１及び台車１０２の一体物１０５を持ち上げなければならず、体を痛める危険性がある。
【０００５】
したがって、台秤１０４の上に一人で当該一体物１０５等を載置することができ、かつ体を痛める危険性がある重量物を持ち上げる作業を無くすことができる被秤量容器１０１、台車１０２、又は被秤量容器１０１及び台車１０２の一体物１０５が必要とされていた。
【０００６】
この問題に対処すべく、例えば、特許文献１の台秤付き昇降装置２００は、図７に示すように、台秤２０１と昇降装置２０２を一体化し、かつ車輪２０３・２０４により移動可能としたものとなっている。
【０００７】
この台秤付き昇降装置２００では、図８に示すように、穀粒選別機２１０から供給される穀粒を、台秤２０１に昇降テーブル２０５を介して載置した穀粒袋２２０に台秤２０１にて秤量しながら充填する。このとき、昇降体２０６のフック部２０６ａと昇降テーブル２０５の係合部２０５ａとの係合は外れている。そして、一定量の穀粒が穀粒袋２２０に充填されると、昇降体２０６の上昇に伴って昇降体２０６のフック部２０６ａが昇降テーブル２０５の係合部２０５ａに遊嵌される。そして、図９に示すように、昇降体２０６を昇降装置２０２の上部まで移動させる。その状態で、台秤付き昇降装置２００をトラック２３０まで搬送し、該トラック２３０の荷台２３１に穀粒袋２２０をスライドすることにより、該トラック２３０に積載できるものとなっている。
【特許文献１】特開２００５−１１２３５４６号公報（平成１７年４月２８日公開）
【発明の開示】
【発明が解決しようとする課題】
【０００８】
しかしながら、上記従来の特許文献１に開示された台車では、台秤と昇降装置とが一体となったものが提供されており、被秤量容器の台秤への搭載作業は容易であるものの、特殊な台秤を用いなければならないという問題点を有している。
【０００９】
本発明は、上記従来の問題点に鑑みなされたものであって、その目的は、被秤量容器の台秤への搭載作業が容易であり、かつ台秤として任意の台秤を用い得る台車を提供することにある。
【課題を解決するための手段】
【００１０】
本発明の台車は、上記課題を解決するために、台秤にて秤量される被秤量容器を台車載置台に載置して搬送する台車において、上記台車載置台は、上記台秤を跨ぎ得る高さと幅とを有し、上記台秤を跨いでいるときに、該台秤の秤量台に支持脚を伸ばして上記台車載置台及び台車車輪を浮かせる持ち上げ手段が設けられていることを特徴としている。
【００１１】
上記の発明によれば、台車載置台は、台秤を跨ぎ得る高さと幅とを有しているので、台車載置台は、台秤を跨ぐことができる。そして、本発明では、台秤の秤量台に支持脚を伸ばして台車載置台及び台車車輪を浮かせる持ち上げ手段が設けられているので、台車載置台が台秤の秤量台を跨いでいるときに、持ち上げ手段によって、台秤の秤量台に支持脚を伸ばして台車載置台及び台車車輪を浮かせることができる。これにより、被秤量物が収容された被秤量容器を台車ごと秤量することができ、風袋を求めておけば、被秤量物の重量を測定することができる。
【００１２】
この結果、台車で搬送してきた被秤量容器を台秤へ搭載する作業を、支持脚を伸ばして台車載置台及び台車車輪を浮かせる持ち上げ手段によって行うことができるので、人の手で重量物を持って積み替えるという作業がなくなる。また、台車と台秤とは一体ではないので、任意の台秤を使用することができる。
【００１３】
したがって、被秤量容器の台秤への搭載作業が容易であり、かつ台秤として任意の台秤を用い得る台車を提供することができる。
【００１４】
本発明の台車は、上記課題を解決するために、台秤にて秤量される被秤量容器を台車載置台に載置して搬送する台車において、上記台秤の秤量台の高さよりも大きい外径を有し、かつ該台秤を跨ぎ得る車輪間隔を有する台車車輪と、上記台秤を跨いでいるときに、該台秤の秤量台に支持脚を伸ばして上記台車載置台及び台車車輪を浮かせる持ち上げ手段とが設けられていることを特徴としている。
【００１５】
上記の発明によれば、台車は、台秤の秤量台の高さよりも大きい外径を有し、かつ該台秤を跨ぎ得る車輪間隔を有しているので、台秤を跨ぐことができる。そして、本発明では、台秤の秤量台に支持脚を伸ばして台車載置台及び台車車輪を浮かせる持ち上げ手段が設けられているので、台車が台秤の秤量台を跨いでいるときに、持ち上げ手段によって、台秤の秤量台に支持脚を伸ばして台車載置台及び台車車輪を浮かせることができる。これにより、被秤量物が収容された被秤量容器を台車ごと秤量することができ、風袋を求めておけば、被秤量物の重量を測定することができる。
【００１６】
この結果、台車で搬送してきた被秤量容器を台秤へ搭載する作業を、支持脚を伸ばして台車載置台及び車輪を浮かせる持ち上げ手段によって行うことができるので、人の手で重量物を持って積み替えるという作業がなくなる。また、台車と台秤とは一体ではないので、任意の台秤を使用することができる。
【００１７】
したがって、被秤量容器の台秤への搭載作業が容易であり、かつ台秤として任意の台秤を用い得る台車を提供することができる。
【００１８】
また、本発明の台車では、前記持ち上げ手段は、台車載置台に螺合により取り付けられた支持脚からなっていることが好ましい。
【００１９】
これにより、支持脚を回転させることにより、台車を持ち上げることができるので、台車の持ち上げ作業が容易となる。
【００２０】
また、本発明の台車では、前記持ち上げ手段は、台車載置台に螺合により取り付けられた少なくとも３個のボルトからなっていることが好ましい。
【００２１】
これにより、支持脚を一般的なボルトで構成することができるので、持ち上げ手段を容易かつ廉価に構成することができる。
【００２２】
また、本発明の台車では、前記持ち上げ手段は、螺合部を有する支持脚と、上記支持脚の螺合部に螺合するピニオンギヤをモータ軸に有するモータとからなっていることが好ましい。
【００２３】
これにより、持ち上げ手段として、電動で行うことができるので、人の手による持ち上げ作業をなくすことができる。
【００２４】
また、本発明の台車では、前記被秤量容器と台車載置台とは、一体に固定されているとすることが可能である。
【００２５】
これにより、いわゆるキャスター付きの被秤量容器をそのまま台秤にて秤量することができる。
【発明の効果】
【００２６】
本発明の台車は、以上のように、台車載置台は、台秤を跨ぎ得る高さと幅とを有し、上記台秤を跨いでいるときに、該台秤の秤量台に支持脚を伸ばして上記台車載置台及び台車車輪を浮かせる持ち上げ手段が設けられているものである。
【００２７】
また、本発明の台車は、以上のように、台秤の秤量台の高さよりも大きい外径を有し、かつ該台秤を跨ぎ得る車輪間隔を有する台車車輪と、上記台秤を跨いでいるときに、該台秤の秤量台に支持脚を伸ばして上記台車載置台及び台車車輪を浮かせる持ち上げ手段とが設けられているものである。
【００２８】
それゆえ、被秤量容器の台秤への搭載作業が容易であり、かつ台秤として任意の台秤を用い得る台車を提供するという効果を奏する。
【発明を実施するための最良の形態】
【００２９】
本発明の一実施形態について図１ないし図６に基づいて説明すれば、以下の通りである。
【００３０】
本実施の形態において、被秤量容器３０の秤量物を秤量するための台秤２０は、図２及び図３に示すように、側面形状が「Ｌ」字状の一般的な公知の例えば体重計等の台秤であり、秤量台２１と秤量値を表示する表示部２２とを有していると共に、底には移動を可能とするための台秤車輪２３…が４個設けられている。
【００３１】
上記台秤２０を用いて秤量する被秤量容器３０の秤量物の重さは、例えば、約５０ｋｇであり、かつ台秤２０とは離れた位置で、被秤量容器３０に秤量物の収容が行われる。したがって、この被秤量容器３０を台秤２０の秤量台２１に載せ替える作業が、一人では困難である。
【００３２】
そこで、本実施の形態では、被秤量容器３０を載置する台車１０を以下のように改良することにより、秤量作業を容易にしている。
【００３３】
すなわち、本実施の形態の台車１０は、図２及び図３に示すように、前後方向に互いに平行に設けられた双胴ベース１・１と、この双胴ベース１・１に架け渡された架橋板２と、この架橋板２に立設された立設部材３と、この立設部材３の上端に取り付けられた台車載置台４と、上記双胴ベース１・１の側面にそれぞれ２個ずつ設けられた台車車輪５・５とを備えている。
【００３４】
上記台車載置台４には、被秤量容器３０が載置されるようになっている。この被秤量容器３０は、本実施の形態では、例えば、台車１０とは別体になっているが、必ずしもこれに限らず、被秤量容器３０と台車載置台４とを固定することにより、この被秤量容器３０と台車１０とが一体化されたものであってもよい。
【００３５】
本実施の形態では、台車車輪５…は、台秤２０の秤量台２１の高さよりも大きい外径を有し、かつこの台秤２０を跨ぎ得る車輪間隔Ｗを有している。したがって、同図２、３に示すように、台車１０は、台秤２０を跨ぐことが可能となっている。上記台車車輪５の外形は、例えば約１００ｍｍである。ただし、必ずしもこれに限らず、台秤２０の高さに応じて、それ以上の高さにすればよい。
【００３６】
また、本実施の形態の台車１０では、台車載置台４に、例えば、支持脚としての４個のボルト６…が螺合されている。また、このボルト６…の上端には、手での締結を容易とするように、例えば幅広のボルト頭６ａが形成されている一方、ボルト６…の下端には、幅広足６ｂが形成されている。なお、ボルト頭６ａは、必ずしも幅広に限らず、ハンドルタイプやレバータイプのものであってもよい。すなわち、ボルト６の締結を手で行う場合に、容易に締結できるものであればよい。また、本実施の形態では、ボルト６は、４個としているが、必ずしもこれに限らず、３個であれば足りる。なお、幅広足６ｂをさらに大きくすれば、ボルト６は１個でもよい。
【００３７】
この結果、台車１０が台秤２０の秤量台２１を跨いでいるときに、このボルト６…を右回りに回転させることによって、ボルト６…が台車１０の秤量台２１に進出移動し、やがて、ボルト６の幅広足６ｂが秤量台２１に当接する。そして、さらに、ボルト６を右回りに回転させることによって、図４に示すように、台車載置台４及び台車車輪５…が地面から浮き上がる。この結果、台車１０等の重量は、全て台秤２０にかかるので、台車１０及び被秤量容器３０の重量を風袋として見積もっておくことによって、被秤量容器３０の秤量物の重量を秤量することができる。
【００３８】
上記構成の台車１０を用いて被秤量容器３０の秤量物を秤量する方法について、図１に基づいて説明する。
【００３９】
まず、被秤量容器３０に秤量物の収容が行われる。この被秤量容器３０に秤量物を収容する作業は、例えば、空の被秤量容器３０を台車載置台４に載置した台車１０を、台秤２０とは離れた場所である秤量物の収容場所に移動する。そして、秤量物の収容場所において、図示しないホッパーから秤量物を被秤量容器３０に収容する。秤量物の被秤量容器３０への収容が終わると、その被秤量容器３０を搭載した台車１０を台秤２０の方へ運ぶ。
【００４０】
そして、図１に示すように、台車１０が台秤２０と平行になるように、かつ台車１０の車輪間隔Ｗの間に台秤２０が位置するように台車１０の方向合わせを行い、台車１０を台秤２０の後方に対向させる。台車１０の方向合わせができたら、そのまま、台車１０を台秤２０の方へ前進させ、台秤２０に跨がせる。そして、４本のボルト６の全てが秤量台２１の上方に位置するところで、台車１０の前進移動を停止する。
【００４１】
次いで、ボルト６のボルト頭６ａを手で回転させる。これにより、やがてボルト６の幅広足６ｂが秤量台２１に当接し、さらにボルト６を回転させることにより、台車載置台４及び台車車輪５…が地面から浮き上がり、台車１０が持ち上がる。
【００４２】
４個の台車車輪５…が全て地面から浮き上がったのを確認した後、台秤２０での秤量を行う。これにより、台車１０及び被秤量容器３０の風袋を差し引けば、被秤量容器３０の秤量物の重量を秤量することができる。
【００４３】
なお、本発明は、上記の実施の形態に限定されるものではなく、本発明の範囲内で種々の変更が可能である。
【００４４】
例えば、上記実施の形態では、台車車輪５は、台秤２０の秤量台２１の高さよりも大きい外径を有し、かつ該台秤２０を跨ぎ得る車輪間隔Ｗを有するものとなっているが、必ずしもこれに限らない。
【００４５】
例えば、図５に示すように、台車載置台４が、台秤２０の秤量台２１を跨ぎ得る高さと幅とを有するものであれば、台車車輪５’が台秤２０の秤量台２１の高さよりも大きい外径を有している必要はない。
【００４６】
また、上記実施の形態では、ボルト６は手動で回転させるものとなっているが、必ずしもこれに限らず、電動で自動的に行うことができる。
【００４７】
例えば、図６に示すように、螺合部１１を有する支持脚としてのリフター１２と、このリフター１２の螺合部１１に歯合するピニオンギヤ１３をモータ軸１４に有するモータ１５とによって持ち上げ手段を構成することが可能である。
【００４８】
また、これに限らず、持ち上げ手段として、汎用の例えば、自動車のタイヤを持ち上げるジャッキ機構を用いることも可能である。ジャッキ機構としては、手動でも油圧式でもよい。さらに、一般に、椅子に用いられているリフト機構を用いることも可能である。
【００４９】
このように、本実施の形態の台車１０は、台秤２０にて秤量される被秤量容器３０を台車載置台４に載置して搬送する。そして、台車載置台４は、台秤２０を跨ぎ得る高さと幅とを有しているので、台車載置台４は、台秤２０を跨ぐことができる。
【００５０】
また、本実施の形態では、台秤２０の秤量台２１に支持脚を伸ばして台車載置台４及び台車車輪５…を浮かせる持ち上げ手段が設けられているので、台車載置台４が台秤の秤量台を跨いでいるときに、この持ち上げ手段によって、台秤２０の秤量台２１に支持脚を伸ばして台車載置台４及び台車車輪５…を浮かせることができる。これにより、被秤量物が収容された被秤量容器３０を台車１０ごと秤量することができ、風袋を求めておけば、被秤量物の重量を測定することができる。
【００５１】
この結果、台車１０で搬送してきた被秤量容器３０を台秤へ搭載する作業を、支持脚を伸ばして台車載置台４及び台車車輪５…を浮かせる持ち上げ手段によって行うことができるので、人の手で重量物を持って積み替えるという作業がなくなる。また、台車車輪５と台秤２０とは一体ではないので、任意の台秤２０を使用することができる。
【００５２】
したがって、被秤量容器３０の台秤２０への搭載作業が容易であり、かつ台秤２０として任意の台秤を用い得る台車１０を提供することができる。
【００５３】
また、本実施の形態では、台車１０は、台秤２０の秤量台２１の高さよりも大きい外径を有し、かつ台秤２０を跨ぎ得る車輪間隔Ｗを有しているので、台秤２０を跨ぐことができる。
【００５４】
そして、本実施の形態では、台秤２０の秤量台２１に支持脚を伸ばして台車載置台４及び台車車輪５…を浮かせる持ち上げ手段が設けられているので、台車１０が台秤２０の秤量台２１を跨いでいるときに、持ち上げ手段によって、台秤２０の秤量台２１に支持脚を伸ばして台車載置台４及び台車車輪５…を浮かせることができる。これにより、被秤量物が収容された被秤量容器３０を台車１０ごと秤量することができ、風袋を求めておけば、被秤量物の重量を測定することができる。
【００５５】
この結果、台車１０で搬送してきた被秤量容器３０を台秤２０へ搭載する作業を、支持脚を伸ばして台車載置台４及び台車車輪５…を浮かせる持ち上げ手段によって行うことができるので、人の手で重量物を持って積み替えるという作業がなくなる。また、台車１０と台秤２０とは一体ではないので、任意の例えば体重計等の台秤２０を使用することができる。
【００５６】
したがって、被秤量容器３０の台秤２０への搭載作業が容易であり、かつ台秤２０として任意の台秤を用い得る台車１０を提供することができる。
【００５７】
また、これにより、研究所等において、多品種、少量生産で反応を行わせるときの反応容器等の被秤量容器３０に利用することができる。さらに、台秤２０及び台車１０の両方をそれぞれ単独で別のものにおいて共用したいという場合に便利である。
【００５８】
また、台秤２０が移動可能であれば、台車１０と台秤２０とを一体に移動してもよい。例えば、化学反応（１）の生成物をある化学プロセス装置から取り出し、別の化学プロセス装置の化学反応（２）の原料として該生成物を秤量しながら加える場合、本実施の形態の台車１０と生成物を取り出す被秤量容器３０と台秤２０とを、化学反応（１）の化学プロセス装置に具備させて生成物を取り出し、次に、台車１０と生成物を収容した被秤量容器３０と台秤２０とを一体に移動して化学反応（２）の化学プロセス装置に具備させて原料として該生成物を秤量しながら加える、等の実施態様が可能である。
【００５９】
また、本実施の形態の台車１０では、持ち上げ手段は、台車載置台４に螺合により取り付けられた支持脚からなっている。これにより、支持脚を回転させることにより、台車１０を持ち上げることができるので、台車１０の持ち上げ作業が容易となる。
【００６０】
また、本実施の形態の台車１０では、持ち上げ手段は、台車載置台４に螺合により取り付けられた少なくとも３個のボルト６…からなっている。これにより、支持脚を一般的なボルト６で構成することができるので、持ち上げ手段を容易かつ廉価に構成することができる。
【００６１】
また、本実施の形態の台車１０では、持ち上げ手段は、螺合部１１を有するリフター１２と、このリフター１２の螺合部１１に螺合するピニオンギヤ１３をモータ軸１４に有するモータ１５とからなっていることが好ましい。これにより、持ち上げ手段として、電動で行うことができるので、人の手による持ち上げ作業をなくすことができる。
【００６２】
また、本実施の形態の台車１０では、被秤量容器３０と台車載置台４とは、一体に固定されているとすることが可能である。これにより、いわゆるキャスター付きの被秤量容器３０をそのまま台秤２０にて秤量することができる。
【産業上の利用可能性】
【００６３】
本発明は、被秤量容器の台秤への搭載作業が容易であり、かつ台秤として任意の台秤を用い得る台車に適用することができる。
【図面の簡単な説明】
【００６４】
【図１】本発明における台車の実施の一形態を示すものであり、台秤にて台車及び被秤量容器を秤量するときの原理を示す説明図である。
【図２】上記台秤を跨いでいる台車を示す側面図である。
【図３】上記台秤を跨いでいる台車を、立設部材、台車載置台及び被秤量容器を省略して示す平面図である。
【図４】上記台車が台秤を跨いでいるときに、ボルトを回転させ、秤量台で支持させることにより、台車の車輪を浮かび上がらせたときの台車を示す側面図である。
【図５】台秤を跨ぎ得る高さと幅とを有する台車載置台を有する台車を示す正面図である。
【図６】モータにて昇降移動させるリフターを示す要部側面図である。
【図７】従来の台車を用いて被秤量容器を秤量するときの原理を示す説明図である。
【図８】従来の他の台車を用いて被秤量容器を秤量するときの原理を示す側面図である。
【図９】上記従来の他の台車を用いて秤量した被秤量容器をリフトアップするときの原理を示す側面図である。
【符号の説明】
【００６５】
１      双胴ベース
２      架橋板
３      立設部材
４      台車載置台
５      台車車輪
５’    台車車輪
６      ボルト
６ａ    ボルト頭
６ｂ    幅広足
１０      台車
１１      螺合部
１２      リフター
１３      ピニオンギヤ
１４      モータ軸
１５      モータ
２０      台秤
２１      秤量台
２２      表示部
２３      台秤車輪
３０      被秤量容器
Ｗ      車輪間隔
【図１】
2009126612.tif 000003
【図２】
2009126612.tif 000004
【図３】
2009126612.tif 000005
【図４】
2009126612.tif 000006
【図５】
2009126612.tif 000007
【図６】
2009126612.tif 000008
【図７】
2009126612.tif 000009
【図８】
2009126612.tif 000010
【図９】
2009126612.tif 000011